(57)【要約】【課題】寸法に制約が存在する食器洗い乾燥機において、食器類を設置する洗浄槽の大きさ、特に、深さ×奥行の十分な確保、ならびに洗浄槽下部のデッドスペースを有効に活用する。【解決手段】これまで１つ、あるいは、２つに統合されていた洗浄・排水ポンプ部品を、伝達機構１３を用いてポンプ機能を維持したまま、ａ）洗浄ポンプヘッド１１、ｂ）排水ポンプヘッド１２、ｃ）ポンプ駆動モータ１０、の３機能部品に分離し、これらを洗浄槽２の水平投影面下部に設置し、洗浄槽下部のデッドスペースを有効活用する。【選択図】図１
2006288577.tif 000002
【特許請求の範囲】
【請求項１】
食器を収容する洗浄槽の下部に横方向に並設された、洗浄ポンプヘッド、排水ポンプヘッド、あるいは、切替え弁付き洗浄・排水一体型ポンプヘッド、及び少なくとも１つのポンプ駆動モータと、上記ポンプ駆動モータの駆動力を上記洗浄ポンプヘッド及び／または排水ポンプヘッド、あるいは、切替え弁付き洗浄・排水一体型ポンプヘッドに伝達する伝達機構とを備えたことを特徴とする食器洗浄装置。
【請求項２】
上記洗浄ポンプヘッド、及び排水ポンプヘッド、あるいは、切替え弁付き洗浄・排水一体型ポンプヘッドは、回転軸に固定されて該回転軸のまわりに回転するインペラをそれぞれ備え、該回転軸が何れも略鉛直方向を向くように設けられてなることを特徴とする請求項１に記載の食器洗浄装置。
【請求項３】
上記洗浄ポンプヘッド、及び排水ポンプヘッド、あるいは、切替え弁付き洗浄・排水一体型ポンプヘッドと、上記洗浄槽の下部との間に上記伝達機構を配設してなることを特徴とする請求項１または請求項２に記載の食器洗浄装置。
【請求項４】
上記伝達機構は、上記ポンプ駆動モータ、洗浄ポンプヘッド、及び排水ポンプヘッド、あるいは、切替え弁付き洗浄・排水一体型ポンプヘッドの各回転軸に固定され、所定の関係で噛合された３つ、あるいは、２つのギヤと、これら３つ、あるいは、２つのギヤを密閉保持するケースカバーからなることを特徴とする請求項２または請求項３に記載の食器洗浄装置。
【発明の詳細な説明】
【技術分野】
【０００１】
この発明は、例えばビルトイン型あるいは卓上型などすべての形態の食器洗浄機、食器洗い乾燥機などに用いることができる食器洗浄装置に関するものである。
【背景技術】
【０００２】
食器洗浄装置では洗浄水の循環と排水の２つの機能を有するポンプが不可欠であり、残菜による詰まりが発生しないこと、また、コストが安価であることなどが求められる。通常、高い揚程が必要となる洗浄ポンプにも利用可能な渦巻き式、及び低い揚程で十分である排水ポンプのみに利用可能な渦流式のポンプが組み合わされて使用される。これらのポンプはポンプヘッド内にインペラがあり、これをポンプ駆動モータ等で回転することにより、ポンプ機能を実現している。これら２のポンプ機能は、２つのインペラを２つのポンプ駆動モータで個別に回転したり、同軸上に配置させた２つのインペラを１つのポンプ駆動モータで同時回転させ、その回転方向を切替えたりすることにより、実現される。
【０００３】
ここで、渦巻き式ポンプは逆回転時に正回転時と同方向の低い揚程が発生する。この特性とポンプヘッド内に設置した切替え弁を利用し、１つのポンプヘッド内に設置されたインペラの回転方向により切替え弁を開・閉状態とし、洗浄および排水機能切換えが可能となる。以後、この種のポンプを、“切換え弁付き洗浄・排水一体型ポンプ”と呼ぶこととする。一方、これらのポンプは、ポンプヘッド内に空気が混入すると発生音が大きくなることから、ポンプを動作させる際には洗浄槽に貯えられた洗浄水の水位よりも低い位置に配置する必要があり、洗浄槽の深さを制約する要因となっている。
【０００４】
一方、食器洗浄装置ではその設置空間の制約により、幅、高さ及び奥行寸法に制約がある。このため、洗浄槽下部に配置された機器の小型化や機器の配置を変更して洗浄槽の深さを拡大し、より大きな食器やより多くの食器を設置可能とすることが求められている。上記の洗浄槽深さを拡大するため、洗浄槽水平投影面外に洗浄ポンプと排水ポンプを別個に配置したり（例えば、特許文献１参照）、回転シャワーヘッドの回転軸と同軸に、上から洗浄ポンプ、ブラシレスモータ、排水ポンプの順に配置し、洗浄ポンプは洗浄槽内部に、そしてブラシレスモータと排水ポンプのみを洗浄槽下部に構成したり（例えば特許文献２参照）することにより、洗浄槽の深さを確保している。
【０００５】
【特許文献１】特開２０００−１０７１１４号公報（第１頁、図１）
【特許文献２】特開２００２−５１９６３号公報（第５頁、図４）
【発明の開示】
【発明が解決しようとする課題】
【０００６】
上記のような従来技術において、洗浄ポンプ及び排水ポンプを別個に洗浄槽の水平投影面外に配置する方法では、下記の３つの課題が存在する。
ａ）洗浄槽の水平投影面外にポンプが配置されるため、奥行方向には大きな制約が発生する。
ｂ）洗浄槽の水平投影面外にポンプが配置されるため、ポンプ吐水口からの配管が長く摩擦損失が大きくなり、ポンプ効率が悪化する。
ｃ）洗浄槽の水平投影面下部に必ず存在する貯水部以外の空間に配管が多数設置されており、貯水部以外の空間が有効利用できていない。
つまり、洗浄槽の深さは拡大できるが、奥行方向が制約され、ポンプ効率が悪化し、空きスペースが有効活用できていない。
【０００７】
一方、回転シャワーヘッド回転軸上の洗浄槽内部側に洗浄ポンプを構成する方法では、上記課題は発生しないが、下記の２点の課題が存在する。
ｄ）ブラシレスモータの回転軸が洗浄槽を貫通し洗浄槽内の洗浄ポンプに接続されているとともに、洗浄ポンプの下側に配置されるため、回転軸と洗浄槽とのシールを厳密に実現する必要があり、高い信頼性を確保するためにコストが増加してしまう。
ｅ）洗浄槽下部に、ブラシレスモータと排水ポンプが同軸上に存在するため、貯水部を除いた洗浄槽底面よりも両者の厚み分の深さを占有し、洗浄槽深さが制約されてしまう。
【０００８】
この発明は、上記のような従来技術の課題を解消するためになされたもので、洗浄槽の深さを十分にとることができるとともに、奥行の確保も可能で、しかも厳密なシール構造を必要としない食器洗浄装置を提供することを目的としている。
【課題を解決するための手段】
【０００９】
この発明による食器洗浄装置は、食器を収容する洗浄槽の下部に横方向に並設された、洗浄ポンプヘッド、排水ポンプヘッド、あるいは、切替え弁付き洗浄・排水一体型ポンプヘッド、及び少なくとも１つのポンプ駆動モータと、上記ポンプ駆動モータの駆動力を上記洗浄ポンプヘッド及び／または排水ポンプヘッド、あるいは、切替え弁付き洗浄・排水一体型ポンプヘッド、に伝達する伝達機構とを備えるようにしたものである。
【発明の効果】
【００１０】
この発明によれば、食器を収容する洗浄槽の下部に、洗浄ポンプヘッド、排水ポンプヘッド、あるいは、切替え弁付き洗浄・排水一体型ポンプヘッド、及びポンプ駆動モータを横方向に並設したことにより、これらの機構部分を貯水部と同程度の高さスペース内に構成でき、洗浄槽深さを容易に拡大できるとともに、洗浄槽下部に存在するデッドスペースが洗浄ポンプヘッドと排水ポンプヘッド、あるいは、切替え弁付き洗浄・排水一体型ポンプヘッド、により有効活用されることで、洗浄槽の奥行方向の寸法も拡大可能となる。また、洗浄ポンプヘッド、排水ポンプヘッド、あるいは、切替え弁付き洗浄・排水一体型ポンプヘッド、及びポンプ駆動モータが横方向に並設されていることで、同軸上に構成する必要がなくなり、ポンプヘッドからの万一の水漏れに対しても、ポンプ駆動モータへの洗浄水の浸入が防止され、信頼性が向上できる。
【発明を実施するための最良の形態】
【００１１】
実施の形態１．
図１〜図４はこの発明の実施の形態１による食器洗浄装置としての食器洗い乾燥機を説明するもので、図１は外箱から洗浄槽を引き出した状態を示す側面図、図２は図１に示す状態を上から見たときの要部を示す平面図、図３は洗浄ポンプヘッド、排水ポンプヘッド及びポンプ駆動モータの配置を示す側面断面図、図４は図３に示す排水ポンプを拡大して示す側面断面図である。ここでは、ビルトイン型食器洗い乾燥機において現在主流な方式である引き出し式の食器洗い乾燥機を例に示している。図において、外箱１は前面（図１の左側）が開口しており、洗浄槽２が図示しない引き出しガイドレールにより前後方向（図１の左右方向）に引き出し可能に設置され、洗浄槽２には上方に食器を出し入れするための開口部２ａが設けられている。
【００１２】
洗浄槽２内には図示しない食器カゴが設置され、外箱１より洗浄槽２を引き出した状態で、食器カゴから食器類を取り出し、あるいは食器カゴに食器類をセットする。食器類の洗浄は洗浄槽２を外箱１に収納させた状態で行なわれる。外箱１の上方内部には図示しない内フタが設置され、リンク機構などを介し洗浄槽２が外箱１に収納された際に洗浄槽２の上方開口部２ａを覆い、運転中における水漏れ及び蒸気漏れを防止する。また、外箱１と洗浄槽２の間には図示しない２本のホースが引き回されており、洗浄槽２への水道水の供給及び洗浄槽２からの排水が行なわれる。
【００１３】
洗浄槽２の底部上面には、洗浄時に貯水した洗浄水の加熱や乾燥時に使用するヒータ３が設置され、このヒータ３の上部には多数の開口を有する図示しない保護カバーが設置されている。洗浄槽２の最深部となる貯水部４の上面には洗浄時に発生する残菜等を捕獲するための残菜フィルタ５が設置されている。なお、残菜フィルタ５は取手５ａにより着脱可能に設けられている。また、図示しない食器類を洗浄するため、洗浄水を噴射する多数の噴射口６ａを有する回転シャワーヘッド６が洗浄槽２の例えば中心付近に設けられた回転軸６ｂのまわりに回転自在に設置されている。また、洗浄槽２の下面前方部（図１、図２の左側）には、乾燥ファン７が設置され、乾燥時には乾燥エア用流路７ａを介して洗浄槽２内に乾燥エアを送風する。なお、以上の構成は従来の食器洗い乾燥機と同様である。
【００１４】
次にこの実施の形態１による食器洗い乾燥機の特徴的な構成について説明する。洗浄槽２の下部には、洗浄及び排水時のポンプ機能に対する動力となるポンプ駆動モータ１０、洗浄時に必要となる洗浄ポンプヘッド１１、及び排水時に必要となる排水ポンプヘッド１２が横方向である水平方向に並んで配置されている。これらは伝達機構１３により、ポンプ駆動モータ１０の駆動力が洗浄ポンプヘッド１１のインペラ１１１、及び排水ポンプヘッド１２のインペラ１２１に順次伝達される。なお、この例では伝達機構１３として複数のギヤ１３１、１３２、１３３を順次噛合させて構成しているが、例えばプーリやローラなどの回転体とワイヤやタイミングベルトなどを組み合わせた公知の各種伝達機構を適宜選択して用いることもできる。
【００１５】
上記洗浄ポンプヘッド１１のインペラ１１１、及び排水ポンプヘッド１２のインペラ１２１は、図２では時計回りの回転が正回転方向で、ポンプ駆動モータ１０側からギヤ１３１、１３２、１３３を順次噛合させているため、上記インペラ１１１、１２１の回転方向は常に互いに逆向きになり、ポンプ駆動モータ１０の回転方向の切替えにより、洗浄機能と排水機能の何れか一方が動作するように切替えることができる。
【００１６】
洗浄ポンプヘッド１１及び排水ポンプヘッド１２の下部にはそれぞれ吸水口１１４、１２４が設けられ、これら吸水口１１４、１２４は、洗浄槽２の最深部である貯水部４に吸水配管１１４ａ、１２４ａを介して吸込み流路を形成している。また、配管の引き回しによる摩擦損失を極力低減するために、洗浄ポンプヘッド１１の吐水口１１５は、回転シャワーヘッド６の中空の回転軸６ｂに最短距離で接続されている。一方、排水ポンプヘッド１２の吐水口１２５は排水用配管１４に接続され、排水時には図示しない排水用ホースを介して外箱１外に排水される。
【００１７】
次に、ポンプ駆動モータ１０、洗浄ポンプヘッド１１、及び排水ポンプヘッド１２付近における構造について更に具体的に説明する。洗浄槽２の下部にはケースカバー１５により長円形状の閉じられた空間が形成され、この空間部に伝達機構１３を構成する円盤状のギヤ１３１、１３２、１３３が内包されている。ケースカバー１５には、ポンプ駆動モータ１０、洗浄ポンプヘッド１１、及び排水ポンプヘッド１２の各回転軸１０２、１１２、１２２を挿通するための貫通穴１５１、１５２、１５３が設けられている。そして貫通穴１５２、１５３には、洗浄ポンプヘッド１１、及び排水ポンプヘッド１２の各回転軸１１２及び１２２の軸方向略中央部を支持する軸受１６を保持するための段差を有する軸受座１５ａがそれぞれ形成され、各軸受座１５ａに対応する洗浄槽２の下面部には、上記各回転軸１１２、１２２の軸方向上端部を支持する軸受１７を保持する段差２ｃを有する軸受座２ｂがそれぞれ形成されている。
【００１８】
上記洗浄ポンプヘッド１１及び排水ポンプヘッド１２は実質的に同様に構成されているので、以下、代表して洗浄ポンプヘッド１１について説明する。下側に配置された軸受１６は、回転軸１１２に構成した段差１１２ｃにより上方向に、及び、ケースカバー１５に構成した軸受座１５ａの段差により下方向に、それぞれ拘束される。一方、上側に配置された軸受１７は、回転軸１１２に構成した段差１１２ｄにより下方向に、及び、洗浄槽２の下面部を下方に伸ばすように一体的に形成された軸受座２ｂの段差２ｃにより上方向に、それぞれ拘束される。ここで、ケースカバー１５は洗浄槽２に対して図示省略している固定手段によって固定されることから、回転軸１１２の上下方向の位置が決定される。また、ギヤ１３２と回転軸１１２との回転拘束は、回転軸１１２のＤカット部１１２ｂにより実現されている。
【００１９】
ここで、洗浄中は熱膨張により樹脂成形品が大きく変形する。このため、洗浄槽２、あるいは、ケースカバー１５が樹脂成形品の場合、伝達機構１３間の位置精度が確保できず、伝達効率の低下、伝達機構１３の磨耗が発生する。このような場合には、樹脂成形品の軸受座２ｂ、あるいは軸受座１５ａを板金材で構成し、この板金材を樹脂成形品に固定することにより、樹脂熱変形に依存せずに伝達機構１３間の位置精度を確保できる。また、ここでは、洗浄槽２下部とケースカバー１５により閉じた空間を確保し、伝達機構１３を設置したが、洗浄槽２下部に別部材を固定し、この部材とケースカバー１５とで閉じた空間を確保しても良いことは言うまでも無い。
【００２０】
洗浄ポンプヘッド１１のインペラ１１１は回転軸１１２にプッシュナット１８にて固定され、該インペラ１１１のまわりを包囲し、吸水口１１４と一体的に形成されたハウジング１１３は、ケースカバー１５に対して、公知の技術であるＯリングなどのシール１１６により外周に沿って密閉された状態で固定されている。ここで回転拘束及び上方向位置の拘束には回転軸１１２のＤカット部１１２ａを利用している。ギヤ１３２の回転により回転軸１１２が受けるラジアル方向の負荷はギヤ１３２の上下に設置した２つの軸受１６、１７にて受ける。
【００２１】
回転軸１１２がケースカバー１５の貫通穴１５２を貫通するため、公知の技術であるオイルシールやメカニカルシールなどのシール１１７がインペラ１１１の回転軸１１２の周囲とケースカバー１５の貫通穴１５２との間に設置され、洗浄ポンプヘッド１１内の洗浄水が上方のギヤ１３２へ漏れるのを防止している。シール１１７よりケースカバー１５上方への水漏れは防止できるので、洗浄水によって軸受１６が汚染される心配は無い。以上のシール１１６、１１７により、洗浄ポンプヘッド１１とケースカバー１５は密閉状態となるため、水漏れを防止できる。
【００２２】
排水ポンプヘッド１２の構成も、Ｄカット部１２２ａ、及び１２２ｂでインペラ１２１、及びギヤ１３３が回転拘束され、ハウジング１２３とケースカバー１５の間にシール１２６が施され、回転軸１２２とケースカバー１５の貫通穴１５３の間にシール１２７が施されているが、基本的に図４に示す洗浄ポンプヘッド１１と同様であるので詳細説明は省略する。一方、ケースカバー１５の外周上端部は全周囲が洗浄槽２の底面部に接触させて固定されているため、下面部に回転軸１０２、１１２、１２２の貫通があるものの、ポンプ駆動モータ１０の固定、及び、シール１１７、１２７により、ギヤ１３１、１３２、１３３は密閉空間に設置される。これにより、伝達機構１３として、ギヤを利用した場合に必ず発生する騒音に対する外部への構造的な漏れが防止でき、ギヤ１３１、１３２、１３３による発生音を低減できる。ここで、防振シートなどを洗浄槽２下部とケースカバー１５の閉じた空間内壁に貼り付けることにより、更なる防音が可能となることは言うまでも無い。
【００２３】
ポンプ駆動モータ１０の回転軸１０２にはＤカット部１０２ａが形成されている。ギヤ１３１の中心には、回転軸１０２のＤカット部１０２ａのＤ型形状にはめ合う貫通穴が存在し、回転軸１０２とギヤ１３１が回転拘束される。ギヤ１３１は回転軸１０２にはめ込まれ、Ｄカット部１０２ａとの境界に構成される段差（図示省略）とプッシュナット１８にて固定される。ここで、ギヤ１３１の固定をＤカット部１０２ａやプッシュナット１８で実現しているが、キー構造やセットボルトやピン、止め輪などの公知技術による他の固定手段を利用しても良い。また、ギヤ１３１により回転軸１０２に加わるラジアル荷重は、ポンプ駆動モータ１０内の図示しない軸受で受ける。ポンプ駆動モータ１０はケースカバー１５に図示省略している固定手段により固定されている。
【００２４】
次に、上記のように構成された実施の形態１による食器を洗浄する際の動作について説明する。外箱１から洗浄槽２を前方に引き出し、図示しない食器カゴに洗浄する食器類をセットする。食器類のセット後、洗剤を適量だけ図示しない洗剤投入口にセットし、洗浄槽２を外箱１に押し込む。この時、図示しない内フタが洗浄槽２の上面開口部２ａを覆いシールされる。この後、図示しない操作パネル上のスタートボタンを押下すると食器洗い乾燥機の動作が開始される。図示しない給水弁がＯＮ状態となり洗浄槽２内に水道水もしくは温水器等で加温された温水が所望の水量注ぎ込まれる。注水された水道水は残菜フィルタ５及び吸水配管１１４ａ、１２４ａをそれぞれ介して、洗浄ポンプヘッド１１内、排水ポンプヘッド１２内に充填され、内部のインペラ１１１、１２１が洗浄水で満たされる。
【００２５】
また、注水された水または温水は洗浄槽２の底部に溜まり、ある所望の水温までヒータ３により加熱される。そして、ポンプ駆動モータ１０が図２において反時計回りに回転することにより、ギヤ１３１、１３３は反時計回りに、ギヤ１３２は時計回りに回転する。つまり、ギヤ１３２に接続されたインペラ１１１のみ時計回りに回転することから、洗浄ポンプヘッド１１が洗浄ポンプとして機能するため、インペラ１１１により加圧された温水が洗浄ポンプヘッド１１の吐水口１１５から回転シャワーヘッド６へ吐出され回転シャワーヘッド６を自転させるとともに、噴射口６ａから洗浄水を噴射させ図示しない食器類を洗浄する。噴射口６ａより洗浄槽２内に噴射された洗浄水は、洗浄槽２底部に溜まり、残菜フィルタ５と吸水配管１１４ａを介してまた洗浄ポンプヘッド１１へと循環される。
【００２６】
所望の時間上記の循環工程を終えると、ポンプ駆動モータ１０を停止し逆方向である時計回りに回転させる。この場合、ギヤ１３２は反時計回りに、ギヤ１３１、１３３は時計回りに回転するため、ギヤ１３３に回転接続されたインペラ１２１が時計回りに回転する。つまり、排水ポンプヘッド１２が排水ポンプとして機能するため、洗浄槽２底部に貯えられた洗浄水が貯水部４、吸水口１２４、給水配管１２４ａを介して排水ポンプヘッド１２内に充填され、インペラ１２１により吐水口１２５から排水用配管１４と図示しない排水ホースを介して外箱１の外側に排水される。この洗浄及び排水動作を複数回繰り返し、洗浄工程とすすぎ工程が実現される。
【００２７】
洗浄及びすすぎ工程が終了すると、乾燥ファン７を動作させ、乾燥エアが乾燥エア用流路７ａを介してヒータ３を通過しながら洗浄槽２内に送風され、洗浄槽２内に存在した蒸気を図示しない蒸気口から外部に排出することにより食器類を乾燥させる。乾燥工程終了後、使用者が洗浄槽２を引き出し、図示しない食器カゴより食器類を取り出す。また、洗浄時に発生した残菜を、残菜フィルタ５の取手５ａを掴み、洗浄槽２より取外し、残菜フィルタ５を水道水で洗浄後、洗浄槽２の所定の位置にセットする。以上で、次回利用する前準備が完了するため、洗浄槽２を押し込み収納状態とする。
【００２８】
以上説明したようにこの実施の形態１によれば、洗浄槽２の下部にポンプ駆動モータ１０、洗浄ポンプヘッド１１、及び排水ポンプヘッド１２を横方向に並設するようにしたことにより、貯水部と同程度の高さスペース内に設置でき、洗浄槽２の深さを容易に拡大できるとともに、洗浄槽２の下部に存在するデッドスペースが洗浄ポンプヘッド１１と排水ポンプヘッド１２により有効活用でき、洗浄槽２の奥行方向にも拡大可能となる。また、洗浄ポンプ配管を極力短く構成できるため摩擦損失が低減できる。
【００２９】
さらに、洗浄ポンプヘッド１１と排水ポンプヘッド１２とポンプ駆動モータ１０の回転軸が同軸上に無いため、ポンプヘッドの回転軸１１２、１２２からの万一の水漏れに対しても、ポンプ駆動モータ１０の回転軸１０２への洗浄水の浸入が防止可能で、信頼性向上が実現できる。さらに、洗浄ポンプヘッド１１と排水ポンプヘッド１２は伝達機構１３により接続されていれば配置は自由であるため、設置の自由度が向上し設計上における制約が緩和される、などといった従来にない顕著な効果を奏するものである。
【００３０】
なお、上記実施の形態１では、ポンプ駆動モータ１０、洗浄ポンプヘッド１１、及び排水ポンプヘッド１２の回転軸１０２、１１２、及び１２２を一つの直線上に配置したが、もとよりこれに限定されるものではなく、ギヤ１３１、１３２、１３３などの伝達機構１３を利用し回転接続されていれば配置は、伝達の順番を含めて全く自由である。例えば、回転軸１０２、１１２、及び１２２の軸心を、吸水配管や吐水配管が更に最短となるように３角形状に配置し、あるいはポンプ駆動モータ１０を真ん中にしてその両側に洗浄ポンプヘッド１１、及び排水ポンプヘッド１２を設けるなどの構成でも差し支えなく、その場合で上記実施の形態１と同様な効果が得られることは言うまでも無い。
【００３１】
ここで、ポンプ駆動モータ１０を真ん中に設置する場合には、ワンウェイクラッチ利用により洗浄、及び排水時におけるポンプ効率を向上できる。インペラ１１１、１２１と回転軸１１２、１２２間に逆向きのワンウェイクラッチをそれぞれ設置する。洗浄時には洗浄ポンプヘッド１１内のインペラ１１１はクラッチがつながり回転軸１１２とともに回転するが、排水ポンプヘッド１２内のインペラ１２１はクラッチが切断され回転軸１２２とともに回転しないため、排水ポンプヘッド１２内における流体抵抗が無くなる。同様にして排水時には回転方向が洗浄時と反転し、排水ポンプヘッド１２内のインペラ１２１はクラッチがつながり回転軸１２２とともに回転するが、洗浄ポンプヘッド１１内のインペラ１１１はクラッチが切断され回転軸１１２とともに回転しないため、洗浄ポンプヘッド１１内における流体抵抗が無くなる。
【００３２】
また、上記実施の形態１では、洗浄ポンプヘッド１１と排水ポンプヘッド１２を別個に構成しているが、１つのポンプヘッドで洗浄及び排水機能が実現可能な切換え弁付き洗浄・排水一体型ポンプを利用しても、同様な効果が得られることは言うまでも無い。この場合、伝達機構１３の構成要素が２つで済むため、ギヤ・軸受・回転軸などが１セット分減らすことができるとともに、貯水部４に接続されている吸水配管１１４ａあるいは１２４ａがどちらか一方で良い。
【００３３】
一方、ここでのポンプ駆動モータ１０は厚みの薄い薄型モータを利用し洗浄槽２の下部に回転軸１０２を鉛直方向に向けて配置したが、これに限定されず、例えば回転軸方向に長く直径が小さな小径型モータであっても、かさ歯車、ハイポイドギヤなどの回転軸変換機構を利用することにより、洗浄槽２の下部に回転軸を水平方向に向けて配置することなど可能であり、同様な効果が期待できる。また、洗浄ポンプヘッド１１及び排水ポンプヘッド１２の回転軸１１２、１２２の上端部を支持する軸受１７の軸受座２ｂを、洗浄槽２の底部下側に突設するように設けたが、洗浄槽２の内部側に突設するようにしても差し支えない。その場合には、軸受１６、１７相互のスパンを大きくとれるので、洗浄ポンプヘッド１１及び排水ポンプヘッド１２の許容負荷を大きくすることができる。
【００３４】
また、上記実施の形態１では１つのポンプ駆動モータ１０で洗浄ポンプヘッド１１及び排水ポンプヘッド１２を駆動したが、必要とするポンプ能力が大きく、モータを大型化（薄型モータではその厚み、小径型モータではその径サイズ）する必要がある場合においては、例えば洗浄ポンプヘッド１１及び排水ポンプヘッド１２にそれぞれ専用のポンプ駆動モータを用いることにより所望の出力モータを確保して同様に構成できるため、この場合においても洗浄槽深さ及び奥行寸法の確保が可能となることは言うまでも無い。
【００３５】
ところで上記実施の形態１では、ビルトイン型引き出し式食器洗い乾燥機を例に説明したが、これに限定されるものではなく、例えば洗浄槽が固定された卓上型の食器洗い乾燥機等も含めて全ての食器洗い乾燥機に対しても適用することができることはもとより、乾燥機能を省いた食器洗浄機でも上記と同様な効果が得られることは言うまでも無い。
【図面の簡単な説明】
【００３６】
【図１】この発明の実施の形態１による食器洗浄装置としての食器洗い乾燥機の外箱から洗浄槽を引き出した状態を示す側面図である。
【図２】図１に示す状態を上から見たときの要部を示す平面図である。
【図３】図１に示す食器洗い乾燥機の洗浄ポンプヘッド、排水ポンプヘッド、及びポンプ駆動モータの配置を示す側面断面図である。
【図４】図３に示す排水ポンプを拡大して示す側面断面図である。
【符号の説明】
【００３７】
１  外箱、  ２  洗浄槽、  ２ａ  開口部、  ２ｂ  軸受座、  ２ｃ  段差、  ３  ヒータ、  ４  貯水部、  ５  残菜フィルタ、  ５ａ  取手、  ６  回転シャワーヘッド、  ６ａ  噴射口、  ６ｂ  回転軸、  ７  乾燥ファン、  ７ａ  乾燥エア用流路、  １０  ポンプ駆動モータ、  １０２  回転軸、  １０２ａ  Ｄカット部、  １１  洗浄ポンプヘッド、  １１１  インペラ、  １１２  回転軸、  １１２ａ、１１２ｂ  Ｄカット部、  １１２ｃ、１１２ｄ  段差、  １１３  ハウジング、  １１４  吸水口、１１４ａ  吸水配管、  １１５  吐水口、  １１６、１１７  シール、  １２  排水ポンプヘッド、  １２１  インペラ、  １２２  回転軸、  １２４  吸水口、  １２４ａ  吸水配管、  １２５  吐水口、  １２６、１２７  シール、  １３  伝達機構、  １３１、１３２、１３３  ギヤ、  １４  排水用配管、  １５  ケースカバー、  １５ａ  軸受座、  １５１、１５２、１５３  貫通穴、  １６、１７  軸受、  １８  プッシュナット。
【図１】
2006288577.tif 000003
【図２】
2006288577.tif 000004
【図３】
2006288577.tif 000005
【図４】
2006288577.tif 000006